(57)【要約】【課題】小型保冷庫内の空間を１室としてもフルに使用することができるとともに、道幅が狭い場所でも荷物の出し入れが可能な車載用小型保冷庫の移動間仕切り構造を提供すること。【解決手段】内部が移動可能な間仕切り板８によって複数の室に分割可能な車載用小型保冷庫３の移動間仕切り構造として、前記車載用小型保冷庫３内の床スノコ（床材）１２の片側にガイド溝１２ａを前記間仕切り板８の移動方向（横方向）に沿って形成し、該ガイド溝１２ａを貫通して移動可能に立設された棒状のヒンジ１３に前記間仕切り板８の幅方向一端部を回動可能に軸支せしめる。又、前記車載用小型保冷庫３の上面に開閉可能な開口部を形成するとともに、前記間仕切り板８を前記ヒンジ１３に対して上下方向に着脱可能とする。【選択図】図１０
2007127317.tif 000002
【特許請求の範囲】
【請求項１】
内部が移動可能な間仕切り板によって複数の室に分割可能な車載用小型保冷庫の移動間仕切り構造であって、
前記車載用小型保冷庫内の床材の片側にガイド溝を前記間仕切り板の移動方向に沿って形成し、該ガイド溝を貫通して移動可能に立設された棒状のヒンジに前記間仕切り板の幅方向一端部を回動可能に軸支せしめたことを特徴とする車載用小型保冷庫の移動間仕切り構造。
【請求項２】
前記車載用小型保冷庫の上面に開閉可能な開口部を形成するとともに、前記間仕切り板を前記ヒンジに対して上下方向に着脱可能としたことを特徴とする請求項１記載の車載用小型保冷庫の移動間仕切り構造。
【発明の詳細な説明】
【技術分野】
【０００１】
本発明は、車載用小型保冷庫内部の空間を間仕切り板によって複数の室に分割可能な車載用小型保冷庫の移動間仕切り構造に関するものである。
【背景技術】
【０００２】
図１３に示すように、宅配トラック等の搬送車両１０１の荷台には箱型のコンテナ１０２が設置されるが、このコンテナ１０２の内部に小型保冷庫１０３を設け、その内部の空間を移動可能の間仕切り板で例えば冷凍室と冷蔵室の２室に区画し、空間内で間仕切り板を移動させることによって冷凍室と冷蔵室の容積を必要に応じて変更することが行われている。
【０００３】
ところで、コンテナを搭載する車両において、コンテナ内の空間を移動可能な間仕切り板によって複数の室に区画する場合の移動間仕切り構造に関する提案が今までに種々なされている（例えば、特許文献１，２参照）。
【０００４】
従来提案されている移動間仕切り構造を図１３に示す小型保冷庫１０３に適用した一例を図１４に示す。尚、図１４は小型保冷庫の移動間仕切り構造を示す斜視図であって、保冷庫の内部を透視的に示す。
【０００５】
図１４に示す構成によれば、小型保冷庫１０３内の床に敷設された木製スノコ等の床材１１２の両側２箇所（車体前後方向２箇所）には溝状のガイドレール１１２ａが横方向に沿って形成されている。そして、小型保冷庫１０３の内部の空間は矩形平板状の間仕切り板１０８によって２室Ｓ１，Ｓ２に区画されており、この間仕切り板１０８は、前記ガイドレール１１２ａに沿って移動するスライダ１１４を介して横方向に移動可能に支持され、必要に応じて間仕切り板１０８を横方向に移動させることによって２室Ｓ１，Ｓ２の容積を変更することができる。
【０００６】
又、小型保冷庫１０３の左右には、両横方向から荷物を出し入れすることができるように開口部をそれぞれ形成し、各開口部を左右両開きの観音扉１０５によって開閉する方式が採用されている。
【特許文献１】特開２００１−１７１４２１号公報
【特許文献２】実開昭６０−０６３７７５号公報
【発明の開示】
【発明が解決しようとする課題】
【０００７】
ところが、図１４に示す移動間仕切り構造では、スライダ１１４がその移動方向に長く、これが間仕切り板１０８の左右に突出しているため、間仕切り板１０８を左右何れかの方向に一杯に寄せて小型保冷庫１０３内の空間を２室Ｓ１，Ｓ２に区画しないで１室として使用する場合には、スライダ１１４が邪魔となって間仕切り板１０８を片側一杯まで寄せることができず、使用できない無駄な空間ができるために小型保冷庫１０３内の空間をフルに使用することができないという問題があった。
【０００８】
従って、本発明の第１の目的は、小型保冷庫内の空間を１室としてもフルに使用することができる車載用小型保冷庫の移動間仕切り構造を提供することにある。
【０００９】
又、図１４に示す移動間仕切り構造では、小型保冷庫１０３の左右からしか荷物を出し入れすることができないため、道幅が狭くて搬送車両１０１の左右にスペース的な余裕がない場合には、左右の観音扉１０５を開けて荷物を出し入れすることは困難であるという問題もある。
【００１０】
従って、本発明の第２目的とする処は、道幅が狭い場所でも荷物の出し入れが可能な車載用小型保冷庫の移動間仕切り構造を提供することにある。
【課題を解決するための手段】
【００１１】
上記目的を達成するため、請求項１記載の発明は、内部が移動可能な間仕切り板によって複数の室に分割可能な車載用小型保冷庫の移動間仕切り構造として、前記車載用小型保冷庫内の床材の片側にガイド溝を前記間仕切り板の移動方向に沿って形成し、該ガイド溝を貫通して移動可能に立設された棒状のヒンジに前記間仕切り板の幅方向一端部を回動可能に軸支せしめたことを特徴とする。
【００１２】
請求項２記載の発明は、請求項１記載の発明において、前記車載用小型保冷庫の上面に開閉可能な開口部を形成するとともに、前記間仕切り板を前記ヒンジに対して上下方向に着脱可能としたことを特徴とする。
【発明の効果】
【００１３】
請求項１記載の発明によれば、小型保冷庫内の空間を１室として使用する場合には、間仕切り板をヒンジを中心として９０°回動させて壁面に密着させることができるため、スペース的な無駄が発生せず、小型保冷庫内の空間を１室としてもフルに使用することができる。
【００１４】
請求項２記載の発明によれば、車載用小型保冷庫の上面に開閉可能な開口部を形成したため、道幅が狭くて車両の左右にスペース的な余裕がない場合には、小型保冷庫の上面の開口部を開けてそこから荷物を出し入れすることができる。又、間仕切り板をヒンジから上方へ抜いて小型保冷庫の上面の開口部からこれを取り除けば、小型保冷庫内の空間を１室としてフルに使用することができる。
【発明を実施するための最良の形態】
【００１５】
以下に本発明の実施の形態を添付図面に基づいて説明する。
【００１６】
図１は小型保冷庫を搭載して成る搬送車両の斜視図、図２は本発明に係る移動間仕切り構造を備えた小型保冷庫の正面図、図３は同小型保冷庫の平面図、図４は同小型保冷庫の側面図、図５は図３のＡ−Ａ線断面図、図６は図５のＢ−Ｂ線断面図、図７は図５のＣ部拡大詳細図、図８は小型保冷庫の床スノコの平面図、図９は仕切固定ブラケットの部分斜視図である。
【００１７】
図１に示す宅配トラック等の搬送車両１の荷台には箱型のコンテナ２が搭載されており、このコンテナ２内の前端部には同じく箱型の小型保冷庫３が設置されている。尚、コンテナ２の後面の開口部は左右両開きの観音扉４によって開閉される。
【００１８】
而して、搬送車両１は、小型保冷庫３内に冷凍及び／又は冷蔵品を収納し、コンテナ２内の小型保冷庫３以外の空間に常温品を収納してこれらを搬送するものである。ここで、小型保冷庫３の詳細を図２〜図４に基づいて説明する。
【００１９】
小型保冷庫３の左右両面は図１に示すコンテナ２の左右両側面に開口しており、これらの開口部から冷凍品及び／又は冷蔵品を出し入れすることができ、図４に示すように、各開口部は左右両開きの観音扉５（図４には一方のみ図示）によって開閉される。又、本実施の形態に係る小型保冷庫３は、その上部及び後面（図２の手前側の面）の一部に矩形状の開口部６が形成されており、この開口部６は、不図示のヒンジを中心として上下に回動する上面扉７によって開閉される。
【００２０】
ところで、小型保冷庫３内の空間は、左右（横方向）に移動可能な矩形プレート状の間仕切り板８によって冷凍室Ｓ１と冷蔵室Ｓ２の２室に区画されており、これらの冷凍室Ｓ１と冷蔵室Ｓ２の容積は前記移動間仕切り板８を図２に示す可動範囲ΔＸ内で左右（横方向）に移動させることによって変更される。そして、図２及び図３に示すように、小型保冷庫３内の冷凍室Ｓ１には、前面壁の内面に固定されたエバポレータ９が設置されており、このエバポレータ９から前面壁に沿って横方向に延びるダクト１０の前記冷蔵室Ｓ２に臨む端部には冷却ファン１１が設置されている。
【００２１】
而して、搬送車両１の不図示のエンジンによって駆動される冷凍装置のコンデンサから前記エバポレータ９に供給される冷媒が蒸発することによって発生する冷風は、図３に矢印にて示すように冷凍室Ｓ１内に吹き出されて該冷凍室Ｓ１内に収容されている冷凍品を所定温度まで冷却した後、ダクト１０を通って冷蔵室Ｓ２側へと向かい、冷却ファン１１によって図３に矢印にて示すように冷蔵室Ｓ２へと吹き出され、該冷蔵室Ｓ２に収容されている冷蔵品を所定温度まで冷却する。
【００２２】
次に、本発明に係る移動間仕切り構造を図５〜図９に基づいて説明する。
【００２３】
前記間仕切り板８は、小型保冷庫３の床面上に敷設された木製の床スノコ１２上を左右（横方向）に移動可能であるが、図８に示すように、床スノコ１２の前端部（図８の上側）には左右方向（間仕切り板８の移動方向）に長いガイド溝１２ａが形成されている。ここで、図７に示すように、床スノコ１２は上下２枚の板１２Ａ，１２Ｂによって構成されており、前記ガイド溝１２ａは上側の板１２Ａに形成され、下側の板１２Ｂには、ガイド溝１２ａよりも幅広のスライド溝１２ｂがガイド溝１２ａに沿って形成されている。
【００２４】
そして、図５〜図７に示すように、小型保冷庫３の床面上には、床スノコ１２に形成された前記ガイド溝１２ａを貫通して該ガイド溝１２ａに沿って間仕切り板８と共に左右（横方向）に移動可能な棒状のヒンジ１３が垂直に立設されている。ここで、ヒンジ１３は、床スノコ１２の下側の板１２Ｂに形成された前記スライド溝１２ｂ内を左右（横方向）に移動可能な中空の矩形プレート状スライダ１４に垂直に固定されており、ヒンジ１３とスライダ１４は、間仕切り板８と共に小型保冷庫３内を左右（横方向）に移動することができる。
【００２５】
他方、間仕切り板８は、前端側（図５の左側であって、床スノコ１２にガイド溝１２ａが形成された側）の下部には、図５及び図６に示すように、下端が開口する丸パイプ状のヒンジ受け１５が垂直に埋設されており、間仕切り板８は、ヒンジ受け１５を前記ヒンジ１３に上方から差し込むことによって、小型保冷庫３内をヒンジ１３と共に左右（横方向）に移動し得るとともに、ヒンジ１３を中心として水平に回動可能であり、更にはヒンジ１３に対して上下方向に着脱することができる。
【００２６】
ところで、図５に示すように、間仕切り板８の上端部にはベンチレータ１６が配置され、上部中央と下部左右には把手１７がそれぞれ取り付けられており、該間仕切り板８の周縁には硬質スポンジ等のシール材１８が設けられている。
【００２７】
又、間仕切り板８の後端側（図５の右側）の中間高さ位置には、鍵状の仕切ストッパ１９が軸２０を中心として回動可能に設けられており、軸２０にはダイヤル２１が結着されている。そして、小型保冷庫３の後端壁内面には左右方向に長い仕切固定ブラケット２２が水平に固定されており、この仕切固定ブラケット２２には、図９に示すように、縦方向に長い矩形の係合溝２２ａが適当なピッチで左右方向に複数形成されている。
【００２８】
而して、図５に実線にて示すように、前記仕切ストッパ１９の鍵状の先端部を仕切固定ブラケット２２の係合溝２２ａの１つに係合させれば、間仕切り板８の移動がロックされ、ダイヤル２１を操作して仕切ストッパ１９を軸２０を中心として図５の鎖線位置まで上方へ回動させると、該仕切ストッパ１９の仕切固定ブラケット２２の係合溝２２ａへの係合が解除されるため、間仕切り板８の左右への移動が可能となる。
【００２９】
次に、移動間仕切り構造の作用を図１０〜図１２に基づいて説明する。尚、図１０〜図１２は小型保冷庫の斜視図であって、小型保冷庫の内部を透視的に示す図である。
【００３０】
間仕切り板８は、前述のように小型保冷庫３内で床スノコ１２のガイド溝１２ａに沿ってヒンジ１３と共に左右方向（図１０の矢印ａ又はｂ方向）に移動可能であって、例えば該間仕切り板８を図１０の矢印ａ方向に移動させれば、冷凍室Ｓ１の容積が小さく、冷蔵室Ｓ２の容積が大きく調整され、逆に間仕切り板８を矢印ｂ方向に移動させれば、冷凍室Ｓ１の容積が大きく、冷蔵室Ｓ２の容積が小さく調整される。尚、間仕切り板８の左右方向への移動は、仕切ストッパ１９を図５に鎖線にて示す位置まで回動させ、これの仕切固定ブラケット２２の係合溝２２ａへの係合を解除した状態でなされ、間仕切り板８の移動後は仕切ストッパ１９を図５に実線にて示すように仕切固定ブラケット２２の係合溝２２ａの１つに係合させることによって、該間仕切り板８の移動がロックされる。
【００３１】
そして、小型保冷庫３の左右何れかの観音扉５を開けば、冷凍室Ｓ１内への冷凍品の出し入れ又は冷蔵室Ｓ２への冷蔵品の出し入れを横方向から自由に行うことができる。
【００３２】
而して、小型保冷庫３内を冷凍室Ｓ１又は冷蔵室Ｓ２の１室として使用したい場合には、仕切ストッパ１９による間仕切り板８のロックを解除した後、該間仕切り板８をヒンジ１３を中心として図１０の矢印ｃ又はｄ方向に角度９０°回動させ、図１１に示すように、該間仕切り板８を小型保冷庫３の前端壁の内面に密着させれば、従来のようなスペース的な無駄が発生せず、小型保冷庫３内の空間を冷凍室Ｓ１又は冷蔵室Ｓ２の１室としてフルに使用することができる。
【００３３】
或は、図１２に示すように、小型保冷庫３の上面に開口する開口部６を覆っている上面扉７を開けて開口部６を開放し、間仕切り板８を矢印方向に持ち上げてこれをヒンジ１３から抜き取り、この抜き取った間仕切り板８を開口部６から小型保冷庫３外へと取り去れば、小型保冷庫３内の空間を冷凍室Ｓ１又は冷蔵室Ｓ２の１室としてフルに使用することができる。
【００３４】
又、搬送車両１が停車した道路の幅が狭く、該搬送車両１の左右に観音扉５を開けるために必要なスペース的な余裕がない場合には、小型保冷庫３の上面の開口部６を図１２に示すように開けることができるため、その開口部６から冷凍品や冷蔵品を自由に出し入れすることができる。
【図面の簡単な説明】
【００３５】
【図１】本発明に係る移動間仕切り構造を備えた小型保冷庫を搭載して成る搬送車両の斜視図である。
【図２】本発明に係る移動間仕切り構造を備えた小型保冷庫の正面図である。
【図３】本発明に係る移動間仕切り構造を備えた小型保冷庫の平面図である。
【図４】本発明に係る移動間仕切り構造を備えた小型保冷庫の側面図である。
【図５】図３のＡ−Ａ線断面図である。
【図６】図５のＢ−Ｂ線断面図である。
【図７】図５のＣ部拡大詳細図である。
【図８】本発明に係る移動間仕切り構造を備えた小型保冷庫の床スノコの平面図である。
【図９】本発明に係る移動間仕切り構造を備えた小型保冷庫の仕切固定ブラケットの部分斜視図である。
【図１０】小型保冷庫の内部を透視的に示す斜視図である。
【図１１】小型保冷庫の内部を透視的に示す斜視図である。
【図１２】小型保冷庫の内部を透視的に示す斜視図である。
【図１３】従来の移動間仕切り構造を備えた小型保冷庫を搭載して成る搬送車両の斜視図である。
【図１４】小型保冷庫の移動間仕切り構造の従来例を透視的に示す斜視図である。
【符号の説明】
【００３６】
１        搬送車両
２        コンテナ
３        小型保冷庫
４，５    観音扉
６        開口部
７        上面扉
８        間仕切り板
９        エバポレータ
１０      ダクト
１１      冷却ファン
１２      床スノコ（床材）
１２ａ    ガイド溝
１２ｂ    スライド溝
１３      ヒンジ
１４      スライダ
１５      ヒンジ受け
１６      ベンチレータ
１７      把手
１８      シール材
１９      仕切ストッパ
２０      軸
２１      ダイヤル
２２      仕切固定ブラケット
２２ａ    係合溝
Ｓ１      冷凍室
Ｓ２      冷蔵室
【図１】
2007127317.tif 000003
【図２】
2007127317.tif 000004
【図３】
2007127317.tif 000005
【図４】
2007127317.tif 000006
【図５】
2007127317.tif 000007
【図６】
2007127317.tif 000008
【図７】
2007127317.tif 000009
【図８】
2007127317.tif 000010
【図９】
2007127317.tif 000011
【図１０】
2007127317.tif 000012
【図１１】
2007127317.tif 000013
【図１２】
2007127317.tif 000014
【図１３】
2007127317.tif 000015
【図１４】
2007127317.tif 000016